(57)【要約】心臓ハーネスが、心周期の少なくとも一部分の間、心臓に圧縮力をかけるように患者の心臓の一部分の周りに装着するように構成される。ハーネスは、生体外または生体内で組み立てられた複数の個々のモジュールから構成することができる。モジュールは、異なる伸展性を備えるなどの異なる物理的な特徴を備えることができるが、ばねヒンジを含んでも、含まなくてもよい。例えば、ジップカプラなどのカップリング機構を用いて、心臓ハーネスの部分を互いに接続することができる。
2005501652.tif 000002
【特許請求の範囲】
【請求項１】
患者の心臓の周りに装着するように構成された心臓ハーネスであって、組み立てられて前記ハーネスを形成する複数の個々のモジュールを含む、心臓ハーネス。
【請求項２】
前記モジュールの１つが、前記モジュールの別のものより伸展性がある、請求項１に記載の心臓ハーネス。
【請求項３】
少なくとも２つの隣接するモジュールが、互いから選択的に解放可能である、請求項１に記載の心臓ハーネス。
【請求項４】
少なくとも２つの隣接するモジュールが、互いに接続される、請求項３に記載の心臓ハーネス。
【請求項５】
ジップカップリングが、ジッパを含む、請求項４に記載の心臓ハーネス。
【請求項６】
ジップカップリングが、細長い雌部材と選択的に係合される細長い雄部材を含む、請求項４に記載の心臓ハーネス。
【請求項７】
少なくとも一対の隣接するモジュールが、互いに永久的に取り付けられる、請求項１に記載の心臓ハーネス。
【請求項８】
少なくとも一対の隣接するモジュールが、シリコンにより接続される、請求項７に記載の心臓ハーネス。
【請求項９】
前記モジュールの少なくとも１つが、ばねヒンジを含む、請求項１に記載の心臓ハーネス。
【請求項１０】
患者の心臓の周りに装着するように構成された心臓ハーネスであって、
前記ハーネスの周囲の第１の部分に沿って延在する第１のモジュールと、
前記ハーネスの周囲の第２の部分に沿って延在する第２のモジュールとを含み、
前記第１および第２のモジュールが互いに接続される、心臓ハーネス。
【請求項１１】
第１および第２のモジュールが、前記モジュールに挿間されたカップリング機構により互いに接続される、請求項１０に記載の心臓ハーネス。
【請求項１２】
前記カップリング機構が、ジップカップリング機構を含む、請求項１１に記載の心臓ハーネス。
【請求項１３】
前記カップリング機構が、シリコンを含む、請求項１１に記載の心臓ハーネス。
【請求項１４】
患者の心臓の周りに装着するように構成された心臓ハーネスであって、前記ハーネスの第２の部分に隣接して前記ハーネスの第１の部分を選択的に引っ張るように構成されたジップカプラを含む、心臓ハーネス。
【請求項１５】
前記第２の部分に隣接して前記ハーネスの前記第１の部分を保持するようにされた第２のカプラをさらに含む、請求項１４に記載の心臓ハーネス。
【請求項１６】
前記第２のカプラが、磁石を含む、請求項１５に記載の心臓ハーネス。
【請求項１７】
心臓ハーネスを作製する方法であって、
複数のモジュールを与えることと、
前記ハーネスを形成するために、前記モジュールを互いに接続することとを含む、方法。
【請求項１８】
各モジュール間に接続部材が配置される、請求項１７に記載の方法。
【請求項１９】
前記接続部材が、ジップカプラを含む、請求項１８に記載の方法。
【請求項２０】
前記接続部材が、シリコンを含む、請求項１８に記載の方法。
【請求項２１】
互いに連結されるようにされた複数のモジュールを含み、前記モジュールの各々が、複数のばね要素を含む、心臓ハーネス。
【請求項２２】
複数のモジュールを含み、各モジュールが、第１の縁部、第２の縁部、および、互いに隣接する前記第１および第２の縁部を選択的に引っ張るためのジップカップリング機構を有する、心臓ハーネス。
【請求項２３】
患者の心臓の周りに装着するように構成された心臓ハーネスであって、基部と、頂上部と、前記頂上部と基部との間の中間部とを含み、前記頂上部が、複数の螺旋状の細長い部材を含み、各螺旋状の細長い部材が、一端で前記中間部に接続され、他端で末端部材に接続される、心臓ハーネス。
【請求項２４】
前記複数の螺旋状の細長い部材が、前記ハーネスの概して円錐状の領域を共に形成する、請求項２３に記載の心臓ハーネス。
【請求項２５】
患者の心臓の周りに装着するようにされた心臓ハーネスであって、
基部と、
頂上部と、
前記頂上部と基部との間の中間部とを含み、
前記基部が、前記基部の周囲の集合的なばね力が、第１の方向にあるように配向された相互接続されたばね要素を含み、
前記中間部が、前記中間部の周囲の少なくとも一部分の集合的なばね力が、前記第１の方向と実質的に異なる第２の方向にあるように配向された相互接続されたばね要素を含む、心臓ハーネス。
【請求項２６】
前記第２の方向が、前記ハーネスの長手軸に対して交差する方向と平行な方向との両方に、著しいばね力成分を有する、請求項２５に記載の心臓ハーネス。
【請求項２７】
患者の心臓の一部分を受け入れるための中央空洞を有する心臓ハーネスであって、前記ハーネスが、前記空洞の実質的に全体にわたって心臓壁と接触し、前記ハーネスが、内向きに延在する複数の突出部を有し、前記突出部と心臓壁との間の干渉が、前記心臓に前記ハーネスを保持するのを助力する、心臓ハーネス。
【請求項２８】
前記突出部の少なくとも１つが、心臓壁の一部分を突き通るように構成された突刺を含む、請求項２７に記載の心臓ハーネス。
【請求項２９】
前記突出部の少なくとも１つが、心臓が前記空洞に配置されたとき、前記心臓壁に対してバイアス力をかける、請求項２７に記載の心臓ハーネス。
【発明の詳細な説明】
【技術分野】
【０００１】
本発明は、心不全を治療するための装置に関する。さらに詳しく言えば、本発明は、患者の心臓の少なくとも一部分の周りに装着するように構成された心臓ハーネスに関する。
【背景技術】
【０００２】
鬱血性心不全（「ＣＨＦ」）は、心臓が、組織の代謝要求、特に、酸素の要求に見合うだけの十分な流量で血液を拍出できないことを特徴とする。ＣＨＦの１つの特徴は、患者の心臓の少なくともいくつかの部分をリモデリングしてしまうことである。このようなリモデリングでは、心臓壁のサイズ、形状および厚みが物理的に変化する。例えば、ダメージを受けた左心室は、心筋層の一部分が局所的に薄くなって伸びた状態になることがある。心筋層の薄くなった部分は、多くの場合、その機能が損なわれ、心筋層の他の部分がそれを補おうとする。その結果、心筋層の他の部分は、機能が損なわれた領域が心筋層にあるにもかかわらず、左心室の拍出量を維持するように拡張することがある。このように拡張すると、左心室は、やや球状の形状になることがある。
【０００３】
心臓のリモデリングが起こると、心臓壁の壁張力または応力が高まることが多く、このように高まると、心臓の機能性がさらに損なわれてしまう。多くの場合、心臓壁は、このように応力が高まることで生じる機能低下の埋め合わせをしようとしてさらに拡張することになる。したがって、拡張がさらなる拡張とさらに大きな機能低下とを生むという悪循環を招くことになる。
【０００４】
従来、鬱血性心不全は、さまざまな薬を使って対処されてきた。また、心拍出量を高めるための装置も使用されてきた。例えば、左心室補助ポンプが、心臓の血液吐出を補助する。心拍出量を高めるために心室の鼓動に最適に同期させるための多室ペーシングも用いられてきた。心室の拍出を補助するために、広背筋などのさまざまな骨格筋が使用されてきた。また、研究者や心臓外科医らは、心臓の周りに配置される人工装具の「ガードル」を試みてきた。このようなデザインの１つは、心臓の周りに巻き付けられる人工装具の「ソックス」または「ジャケット」である。
【発明の開示】
【発明が解決しようとする課題】
【０００５】
上述したデバイスの中には将来性のあるものもあるが、当該分野においては、リモデリングされた心臓がさらにリモデリングしないように、および／または病的心臓の逆リモデリングを助長するようにＣＨＦを治療するための装置が望まれている。
【課題を解決するための手段】
【０００６】
本発明の１つの態様によれば、心臓ハーネスが患者の心臓の周りに装着するように構成される。ハーネスは、組み立てられてハーネスを形成する複数の個々のモジュールを含む。
【０００７】
別の態様によれば、本発明により、患者の心臓の周りに装着するように構成された心臓ハーネスが提供される。ハーネスの第１のモジュールは、ハーネスの周囲の第１の部分に沿って延在する。第２のモジュールは、ハーネスの周囲の第２の部分に沿って延在する。第１および第２のモジュールが互いに接続される。
【０００８】
さらなる別の態様によれば、本発明により、患者の心臓の周りに装着するように構成された心臓ハーネスが提供される。ジップカプラが、ハーネスの第２の部分に隣接したハーネスの第１の部分を選択的に引くように構成される。
【０００９】
本発明のさらなる態様によれば、心臓ハーネスの作製方法が、複数のモジュールを与えることと、ハーネスを形成するために互いにモジュールを接続することとを含む。
【００１０】
さらなる態様によれば、本発明により、病的心臓を治療する方法が提供される。心臓ハーネスが、患者の心臓の周りに装着するように提供され構成される。ハーネスは、第１の端部および第２の端部を有し、これらの端部は互いに連結するようにされる。ハーネスの少なくとも一部分が、軸周りにロール状にされる。ロール状のハーネスは、患者の心臓の一部分に隣接して配置され、ハーネスは、広げられたハーネスが心臓に装着するように広げられる。
【００１１】
さらなる別の態様によれば、本発明により、互いに連結するようにされた複数のモジュールを含む心臓ハーネスが提供される。モジュールの各々は、複数のばね要素を含む。
【００１２】
本発明のさらなる別の態様によれば、複数のモジュールを有する心臓ハーネスが提供される。各モジュールは、第１の縁部と、第２の縁部と、ジップカップリング機構とを有する。ジップカップリング機構は、互いに隣接した第１および第２の縁部を選択的に引く。
【００１３】
本発明のさらなる態様によれば、心臓ハーネスが提供される。心臓ハーネスは、患者の心臓の周りに装着するように構成され、基部と、頂上部と、頂上部と基部との間の中間部とを有する。頂上部は、複数の螺旋状の細長い部材を有する。各螺旋状の細長い部材は、一端で中間部に接続され、他端で末端部材に接続される。
【００１４】
本発明のさらなる態様によれば、基部と、頂上部と、頂上部と基部との間の中間部とを有する心臓ハーネスが提供される。基部は、基部の周囲の集合的なばね力が第１の方向にあるように配向された相互接続されたばね要素を含む。中間部は、中間部の周囲の少なくとも一部分の集合的なばね力が第１の方向と実質的に異なる第２の方向にあるように配向された相互接続されたばね要素を含む。
【００１５】
さらなる態様によれば、本発明により、患者の心臓の一部分を受け入れるための中央空洞を有する心臓ハーネスが提供され、このハーネスは、空洞の実質的に全体にわたって心臓壁と接触する。ハーネスは、内向きに延在する複数の突出部を有し、突出部と心臓壁との間の干渉が、心臓にハーネスを保持するのを助力する。
【００１６】
本発明のさらなる特徴および利点は、添付の図面および特許請求の範囲を参照しながら以下に記載する好適な実施形態の詳細な説明により、当業者に明らかになるであろう。
【発明を実施するための形態】
【００１７】
図１は、心臓ハーネス３２を取り付けた哺乳動物の心臓３０を示す。図示した心臓ハーネス３２は、心臓を取り囲み、心臓に弱い圧縮力を全体的にかけて壁応力を軽減する一連のヒンジまたはばね要素を含む。本願と同一の出願人により２０００年８月８日に出願され、内容全体が参照形式で本願明細書に援用される、「Ｅｘｐａｎｄａｂｌｅ  Ｃａｒｄｉａｃ  Ｈａｒｎｅｓｓ  Ｆｏｒ  Ｔｒｅａｔｉｎｇ  Ｃｏｎｇｅｓｔｉｖｅ  Ｈｅａｒｔ  Ｆａｉｌｕｒｅ」という発明の名称の同時係属中の米国特許出願第０９／６３４，０４３号に記載されているように、このような心臓における壁応力を軽減することにより病的心臓のリモデリングが阻止され、さらには反転させることさえできる。
【００１８】
本願明細書で使用される「心臓ハーネス」という用語は、心周期の少なくとも一部分の間に心臓に圧縮力をかけるように患者の心臓に装着された装置をさす広義の用語である。「心臓ハーネス」の意味の範疇には、心臓に装着されることが想定され、当該分野において、「ガードル」、「ソックス」、「ジャケット」と呼ばれる他の装置が含まれる。
【００１９】
図１に示す心臓ハーネス３２は、少なくとも１つの波状ストランド３４を含み、この波状ストランド３４は、心臓３０が充満中に拡張するのに伴って変形するように構成されたヒンジまたはばねヒンジと呼ばれる一連のばね要素３６を構成する。各ヒンジ３６は、実質的に一方向の弾力性を備え、一方向に作用し、その方向に対して垂直の方向にはほとんど弾力性を備えていない。図２Ａは、静止状態にあるヒンジ部材３６の１つの実施の形態を示す。ヒンジ部材３６は、中央部分４０と、一対のアーム４２とを有する。アーム４２が引っ張られると、図２Ｂに示すように、中央部分４０に曲げモーメント４４がかかる。このようにして、変形を阻止する力が存在する。ヒンジ３６の典型的なストランド３４が、ストランド３４の方向に弾性的に拡張および収縮するようにされたこのような一連のヒンジ３６を構成する。
【００２０】
図３および図４は、ハーネスの製造中の２つの時点について示された心臓ハーネス５０の実施の形態を示す。図示した実施の形態において、ハーネス５０は、薄いニチノールシートからエッチングされたものであり、これは、形状記憶特性も備える超弾性材料である。平坦な材料シートは、心臓の少なくとも一部分の形状を帯びるように、型、ダイスなどに覆われる（図４を参照）。
【００２１】
図３および図４をさらに参照すると、ハーネス５０は、心臓３０の基部分と一般的に係合し装着するようなサイズおよび構成の基部５２と、心臓の頂上領域と一般的に係合し装着するようなサイズおよび形状の頂上部５４と、基部５２と頂上部５４との間の中間部５６とを含む。
【００２２】
図３および図４に示すように、ハーネス５０は、ばねヒンジ３６を含むいくつかのストランド３４または波状ワイヤ列を含む。図示した実施の形態におけるばねヒンジのストランドは、異なる方向に配向され、ハーネスのさまざまな部分で異なるように構成される。例えば、ハーネス５０の基部５２において、ストランド５８は、ばね要素５９が、心臓３０の長手軸Ｌｃに対して概して交差する方向に拡張および収縮するように配向される。このようにして、基部５２の周囲の集合的なばね力が、長手軸Ｌｃに概して交差した方向に向けられる。
【００２３】
中間部５６において、ストランド６０は、ばね要素６１が概して長手方向に拡張および収縮するように配向される。さらに、長手方向に延在するストランド６０のいくつかが、相互接続ばね要素６２により互いに接続され、このばね要素６２は、ストランド６０を接続するが、それらの間での相対運動を可能にしたままである。しかしながら、いくつかの長手方向のストランド６０が、隣接する長手方向のストランド６０に接続されておらず、これらの非接続の長手方向ストランドは、交差方向において互いに対して自由に動くことができる。図示したように、中間部５６は、ばね方向の組み合わせを含む。長手方向に向けられたばね６１は、長手方向にばね力をかけ、交差方向に向けられたばね６２は、交差方向にばね力をかけることは言うまでもない。しかしながら、集合的に、中間部５６にあるばねヒンジ６１、６２は、ハーネス５０の周囲に、長手方向と交差方向との間の中間方向に向けられたばね力をかける。
【００２４】
頂上部５４において、ハーネスの「アルキメデススパイラル」６４の構成により、ハーネスは、一方向以外に柔軟に拡張および変形できるようになっている。アルキメデススパイラル６４は、互いに隣接して配置された複数のスパイラル状の延長部材６６を含む。中間部５６に、延長部材６６の各々の第１の端部６８が接続される。図示した実施の形態において、延長部材６６は、長手方向に配向されたばねヒンジ６１と同一の広がりをもつ。各延長部材６６の第２の端部６９が、末端部材７０に接続される。このようにして、末端部材７０に、複数のスパイラル状の延長部材６６が接続される。頂上部５４にある図示したアルキメデススパイラル６４は、比較的高い伸展性を備え、長手方向に最も伸展性を備える。
【００２５】
哺乳動物の心臓では、基部領域にある心筋細胞が、心臓の拍出中、概して交差方向に拡張および収縮する傾向にある。頂上部領域において、心筋は、概して長手方向に拡張および収縮する傾向にある。心臓の頂上部領域と基部領域との間において、心筋は、長手方向と交差方向との間の方向に概して拡張する。このようにして、図３および図４に図示したハーネス５０の基部、中間部、および頂上部５２、５６、５４におけるばねヒンジの配置は、特に、心筋の自然な拡張および収縮に対応するようにされている。各部にあるばね要素５９、６１は、概して、心臓の対応する領域における心臓周囲の筋肉の拡張方向に配向されて、心臓の過度な拡張をより正確に阻止する。したがって、ハーネス５０は、心臓３０の仕事負荷を軽減させるように助長することにより、心臓は、患者の体を流れる血液をより効率的に拍出できるようになる。また、仕事負荷を軽減させると、心臓に治癒する機会が与えられる。
【００２６】
図３および図４をさらに参照すると、基部５２にあるばね要素５９のストランド５８は、相互接続要素７２により互いに接続されている。これにより、列／ストランド５８が交差方向に拡張および収縮したときに、相互接続要素７２は、ハーネス５０が、長手方向に小さくなること、すなわちいわゆる縮小することを阻止する。基部５２においてハーネス５０が縮小すると、心臓を締め付ける力が長手方向に生じることとなるので、以上のことは重要な利点を与える。ここで、言うまでもなく、心臓が周囲に拡張したときにも、心臓は長手方向に小さくなる。このため、心臓の球形度は、望ましくない程度まで上がり、吐出が効率的ではないことがある。縮小をなくし、または阻止することにより、本発明のハーネスは、心臓の自然な形状の維持を助長し、および／または、心臓の球形度を制限する。
【００２７】
別の実施の形態において、相互接続要素は、伸展性のあるばねを含む。このような伸展性のある相互接続要素により、ストランドの相対位置が維持されるが、ハーネスによりほとんどまたはまったく抵抗なく、心臓が長手方向に拡張および収縮することができる。したがって、伸展性のある相互接続要素により、ハーネスの縮小も回避される。
【００２８】
上述したように、図３および図４に示す心臓ハーネスの実施の形態は、平坦なニチノールシートからエッチングされる。図４に示す所望の形状に平坦なシートを形成した後、ニチノール材料は、約２０分間、約４７５℃で炉に配置されることによりアニールされることが好ましい。その後、ハーネス５０は、炉から取り除かれ、冷水で急冷される。ハーネスは、アニールされた形状を保持または「記憶」する。その後、ニチノールの形状記憶特性により、ハーネスは、ある一定の温度で変形され、さらには塑性変形され得るが、変形されたハーネスが形状記憶温度範囲に戻ると、ハーネスは、アニールされた形状を再び帯びることになる。これは、ハーネスを最小限の侵襲的な外科処置方法で送り出す実施の形態において特に役に立ち得る。このような実施の形態において、ハーネスは、より容易に体に導入されるように圧縮および／または折り畳まれるが、体の温かい内部温度にさらされると、記憶した形状に拡張する。
【００２９】
図１から図４の実施の形態は、ニチノール製のものであるが、心臓ハーネスにはさまざまなデザインおよび材料が使用できることを理解されたい。例えば、適切な材料は、例えば、ニチノールなどや、オリゴ（ｅ−カプロラクトン）ジメタクリレート、ステンレス鋼、Ｅｌｇｉｌｏｙ（登録商標）、チタン、タンタル、ポリイミド、ポリエチレン、ナイロン、ポリプロピレン、ポリカーボネート、ｅＰＴＦＥ、およびポリエステルなどの金属合金またはポリマーを含む他の形状記憶材料などの金属およびポリマーを含む。
【００３０】
図３および図４に図示した実施の形態において、平坦なニチノールシートが、光化学的にエッチングされた後、所望の形状に湾曲されている。後にハーネスに形成可能なシートを作製したり、さらには、変形される必要がなく心臓の形状を概して補うハーネスを直接作製したりするために、任意のさまざまな製造方法を用いることができる。このような製造プロセスは、例えば、鋳造、機械加工、噴射水流を使った切断、ＥＤＭ、フライス削り、レーザ切断、およびスタンピングを含み得る。ハーネスが作製された後、ハーネスは、電気化学的または機械的な方法により研磨されることが好ましい。
【００３１】
図３および図４に示す心臓ハーネス５０の１つの態様は、ハーネスを単一の一体構造としてエッチングすることにより、重なり合ったワイヤやフィラメントがなく、溶接などの接続部がまったく必要ない。このようにして、ばねヒンジは、他のばねヒンジと重なり合い接触することなく動作する。したがって、このように重なり合った材料により生じる摩擦に伴う磨耗が回避される。また、溶接および他の機械的な接続部から生じ得る応力の集中も回避される。
【００３２】
別の実施の形態において、延伸ワイヤが、集合的に心臓ハーネスを形成するばねヒンジの波状ストランドに形成されることができる。延伸ワイヤから形成された心臓ハーネス３２が、ばねヒンジ３２の隣接する列３４が重なり合い、図１の実施の形態に示すように互いに織り合わされるように構成されることができる。他の実施の形態において、心臓ハーネスは、延伸ワイヤから作られたばねヒンジの列が重なり合わず、または隣接するばねヒンジに接触しないように構成される。ワイヤは、その波状の形状を「記憶する」ようにアニールされる延伸ニチノールワイヤを含むことが好ましい。
【００３３】
心臓ハーネスの実施の形態は、さまざまなサイズ、形状および構成で与えられる。上述したように、図３および図４に示すハーネス５０の実施の形態は、患者の心臓を収容するように概して円錐状に変形された概して円形のシートを含む。別の実施の形態において、ハーネスは、シートの形態にあるとき、まったく円形ではないため、シートが概して円錐状の形状に変形されると、基部から頂上部までの距離が、ハーネスの片側で別の側より長くなる。さらなる他の実施の形態において、心臓は、ばねヒンジの一連の隣接する波状列を含むリボンまたはファンを含むことができる。
【００３４】
心臓ハーネスの伸展性は、ばね要素の特別な構成を用いることにより、製造中、必要に応じて特別の仕様に従って変更することができる。ハーネスにあるすべてのばね要素が、同じ伸展性の特徴を備える必要はない。例えば、ばね要素の中には、他のばね要素よりも長いアームをもつものがあってよい。アームが長いヒンジは、アームが短いヒンジよりも伸展性があると思われる。ハーネスの異なる領域ごとに伸展性を変化させる別の方法では、ばね要素のいくつかを、他のばね要素より厚くすることである。ばねの厚みがあるほど、より大きな力で変形を阻止することになる。ばね要素の配置に応じて、ハーネスの１つの部分または領域に、ハーネスの他の領域より伸展性をもたせることができる。
【００３５】
１つの実施の形態において、第１のばねセットが、第１のしきい値の力をかけると容易に変形し、第２のばねセットが、第２の力しきい値に達したときのみ変形し始める。したがって、心臓ハーネスは、第１のひずみ範囲にわたって非常に伸展性のある伸展曲線を示すが、選択されたひずみしきい値に達すると、劇的に硬くなる。これは、より小さく、可能的にほぼ罹病程度が低い心臓よりも、より大きな心臓により大きな圧縮力をかけることが望ましい場合に役に立ち得る。
【００３６】
図３および図４をさらに参照すると、ハーネス５０は、アンカー機構を含むことができる。アンカー機構は、心臓３０上の適所にハーネスを保持するように助力する。上述したように、ハーネス５０は、患者の心臓の一部分の周りに装着するように構成される。心臓３０のその部分は、ハーネス５０の中央空洞７４内に適合する。図示した実施の形態において、波状部分の最外列７６は、ばね要素５９のいくつかから延在する一連の突刺７８を含む。突刺７８は、ハーネス５０の中央空洞７４内に延在するように内向きに湾曲されることができる。ハーネス５０が心臓に配置されると、各突刺７８は、心臓壁と少なくとも部分的に係合し、またはそれを突き通るため、心臓の頂上部の方へ心筋から離れて下向きに向かうハーネスの動きが阻止される。図示した実施の形態において、突刺７８は、エッチングされるとき、ハーネス５０とともに一体に形成される。
【００３７】
図５および図６に、アンカー装置の別の実施の形態を示す。図５は、ばねヒンジ８４の列８２を含む心臓ハーネス８０の一部分を示す。各ばねヒンジ８４は、ハーネス８０の中央空洞に突出するように内向きに湾曲可能である底中央部８６を有する。図６に詳細に示すように、ハーネス８０が患者の心臓３０に対して配置されると、内向きに湾曲した底中央部８６は、心臓３０の心膜と係合する。ヒンジ８４の中央部８６は、鋭利でなく、突刺のように心臓組織を貫通しないが、心臓と係合することにより、共に働く多数の底中央部８６により生じる干渉により、心臓の頂上の方から心臓から離れる方へのハーネス８０の動きが阻止されるという重要な抵抗力が得られる。
【００３８】
さらなる実施の形態において、ハーネスの一部分が、周囲のばねヒンジよりも硬い１つ以上のばねヒンジを設けることにより、中央空洞内に突出するように構成されることができる。このようなより硬いばねヒンジは、周囲のハーネスほど伸展性がないので、中央空洞に突出する傾向をより多く備え、ハーネスと心臓壁との間にさらなる干渉を与える。
【００３９】
図７は、所望の形状に形成される前のエッチングされ一体形成された心臓ハーネス９０の別の実施の形態を示す。図に示すように、図示した実施の形態は、図１または図３に見受けられるばね要素９２の異なる配置および構成を含む。ばね要素９２の隣接する列９４が、実質的に直線の相互接続要素９６により接続され、これらの相互接続要素は、基部９８から頂上部１００に延在し、装置の頂上部１００にあるアルキメデススパイラル１０２の配置内に湾曲される。図８および図９の各々は、図７のハーネス９０が、心臓と係合するように形成された型に成形される実施の形態を示す。
【００４０】
上述したように、心臓ハーネスにおいて、さまざまな構成のばね要素９２を使用することができることが有用である。このような構成は、接続要素９６によって相互接続されているとよく、または相互接続されなくてもよいばね要素９２のいくつかの列９４を含んでよい。さらに、このような接続要素は、ばねヒンジの隣接する列が、互いに対して移動可能なように、ばね要素を含んでよく、さらには弾性材料も含んでもよい。
【００４１】
図８および図９の各々は、ハーネス９０の一部分を取り除いた実施の形態を示す。図８において、ハーネスの片側を通るウィンドウ１０４が形成されるが、基部にあるハーネスの最外ストランド１０６には手を加えていない。図９においては、ハーネスの最外ストランドも断続されている。したがって、ハーネスの片側を通るスロット１０８が形成され、最外ストランド１０６は、心臓を完全に取り囲んでいない。ウィンドウ１０４およびスロット１０６の実施の形態により、例えば、心臓バイパスや、冠状動脈移植片の組み込みや処置などの外科的処置を外科医が施すためのアクセスが得られる。いくつかの実施の形態において、取り除かれたハーネスの部分を再度取り付けて、ウィンドウまたはスロット部分に対して取り除かれた弾性力および支持を回復させることが好ましいことがある。
【００４２】
（設置方法および装置）
患者の心臓に心臓ハーネスを設置するために、任意の適切な方法を用いることができる。例えば、ハーネスは、胸部の外科処置の間、または最小限の侵襲的な方法を用いた手術の間、心臓にわたって滑るようにするとよい。しかしながら、心臓、特に、鼓動している心臓は滑りやすく、扱いが難しいことがある。さらに、ハーネスが、設置時に心臓に圧縮力をかけるようにするために、ハーネスは、ばねヒンジが静止位置にあるとき、患者の心臓より多少小さいことが好ましい。設置中にハーネスが心臓にわたって引っ張られると、ハーネスは心臓を締め付け、心臓は、ハーネスから離れて滑る傾向があるため、ハーネスを心臓に設置することは困難である。
【００４３】
別の実施の形態によれば、完全なハーネスを心臓に滑らせる必要がなく、心臓に心臓ハーネスを設置することができる。その代わりに、図４、図８および図９に示すようなハーネスが、基部から頂上部へのハーネスの長さの一部分に沿って長手方向に分割または切断されるように修正される。このようにして、ハーネスは、設置中に心臓を締め付けることなく、心臓に隣接して心臓の周りに緩く装着することができる。心臓に隣接して配置されると、ハーネスは、心臓の周りに巻きつけられて、ハーネスの周囲連続性を回復することができる。長手方向の分割位置にあるハーネスの縁部は、例えば、縫合、クリップ、フックにより、または以下に記載するようなジップカプラにより、任意の方法で再度取り付けられることができる。
【００４４】
以下、図１０から図１２を参照すると、心臓ハーネス１１０の別の実施の形態は、対向する第１および第２の長手方向の縁部１１２、１１４を含む。第１および第２の長手方向の縁部１１２、１１４が互いに整列されると、ハーネス１１０は、実質的に円周方向に連続したものになり、心臓の周りに装着されるような形状になる。第１および第２の縁部１１２、１１４の周りには、ファスナ装置１１６が取り付けられる。図示した実施の形態において、ファスナ装置１１６は、ジッパ１１９の形態をしたジップカプラ１１８を含む。ジッパ歯１２２を含む接合構成部品１２０が、縫合により対応するハーネス縁部に取り付けられた布裏張り１２４上に設けられる。
【００４５】
図１０から図１２は、患者の心臓３０にわたって設置されたハーネス１１０を示す。ハーネス１１０を設置するために、図１０に示すように、ジッパ１１９は外され、ハーネス１１０は、心臓３０の周りに緩く装着される。ハーネス１１０は、ばねヒンジ１２５が静止位置にあるとき、心臓の周りのすべてで円周方向に装着されていない。ジッパアクチェータ１２６またはカップリング部材が、図１１および図１２に順を追って示すように、結合構成部品１２０に沿って長手方向に前進するため、結合構成部品１２０は、ハーネス１１０が心臓３０の周りで閉じられるように、互いにロックし合う。心臓ハーネス１１０の第１および第２の縁部１１２、１１４は、互いの方向に引っ張られ、適所に保持される。このようにして、ハーネスの静止時のサイズが心臓より小さくても、心臓を円周方向に取り囲むように心臓にわたってハーネスを閉じることは、容易であり、また効果的である。
【００４６】
アクチュエータまたはカップリング部材１２６は、手動で前進されることができ、または、結合構成部品１２０の長さに沿ってそれを前進させるためのツールを用いて保持されることができる。相互にロックされると、結合歯１２２により、ハーネス１１０の円周方向の強度が得られるとともに、ある程度の長手方向の強度も得られる。ハーネスが閉じられると、ジッパカプラ１１８は、ハーネス縁部１１２、１１４間に挟まれるため、縁部は、互いから間隔を置いて設けられてよい。しかしながら、ハーネス１１０の円周方向の力は、ジップカプラ１１８を介して縁部１１２、１１４に隣接するばねヒンジ１２５に伝えられる。
【００４７】
本発明において、ジップカプラの変形例および実施の形態が用いられることが有用となり得ることを理解されたい。例えば、図示したジッパに類似した効果を得るために、任意のさまざまなジップカップリング機構を使用することができ、その効果により、アクチュエータ部材が縁部に沿って長手方向に移動する際に、対向する縁部が互いの方向に交差して引っ張られる。他の例示的なジップカップリング機構は、雄部材を有する第１の細長い結合構成部品が、雌部材を有する第２の細長い結合構成部品と係合する「ジップロック」タイプの機構を含む。
【００４８】
図示した実施の形態において、カップリング部材１２６は、結合構成部品１２０を選択的にロックまたはロック解除する。したがって、カップリング部材１２６が、心臓３０の周りでハーネス１１０を閉じるように前進するが、臨床医が装置の装着性や位置に満足しなければ、カップリング部材１２６は、結合構成部品をロック解除し、ハーネスを緩めるように後退させることができる。これにより、臨床医は、患者の心臓にある装置を容易に調節し固定しなおすことができる。
【００４９】
結合構成部品１２０がロックされた後、カップリング部材１２６は、適所に置いたままにすることができ、または、ジップカップリング機構１１８から完全に取り除くことができる。結合構成部品１２０は、カップリング部材１２６が取り除かれた後は相互にロックされたままの状態にある。しかしながら、従来のジッパの場合、カップリング部材が取り除かれると、結合構成部品は、構成部品の端部が共に保持されていなければ、互いからロック解除されることになる可能性がある。この可能性をなくすために、結合構成部品１２０を、相互ロックされた位置において長さに沿って２つ以上の位置で保持するために、第２のカップリング１２８が与えられる。第２のカップリング１２８により、結合構成部品は、互いとは別々に動くことができなくなる。
【００５０】
第２のカップリング部材は、クリップ、縫合などを含むことができる。別の実施の形態において、第２のカップリング部材は、結合構成部品を共に保持するように配設された比較的小型の生物学的に不活性の一対の磁石を含む。磁石は、ネオジウム、鉄、および／またはホウ素からなる希土類磁石を含むことが好ましく、Ｊｏｂｍａｓｅｔｅｒ  Ｍａｇｎｅｔｓから入手可能である。１つの実施の形態において、磁石は、心臓ハーネスの縁部または結合構成部品にエポキシにより取り付けられ、ハーネスが閉じられると、互いに自動的に係合するように配設される。このようにすれば、第２のカップリングを適用するために、さらなるステップが必要ない。
【００５１】
結合構成部品１２０およびカップリング部材１２６は、金属やポリマーなどの任意の材料から形成することができる。上述したように、結合構成部品１２０は、布裏張り１２４に取り付けられているとよく、この裏張りは、対応するハーネス縁部１１２、１１４に取り付けられる。しかしながら、ハーネスには、細長い結合構成部品も取り付けることができ、または、ハーネスと共に形成することもできる。
【００５２】
図１３から図１６は、細長い結合構成部品を心臓ハーネスの縁部に直接取り付ける場合の実施の形態を示す。図１３を詳細に参照すると、エッチングされた心臓ハーネス１３０の一部分が示されている。エッチングされたハーネス１３０は、第１の長手方向の縁部１３２と、第２の長手方向の縁部１３４とを含む。各縁部１３２、１３４は、相互接続されたばね１３８のいくつかの列１３６とつながる。各長手方向の縁部１３２、１３４に沿って、一連の小さな穴１４０が設けられる。図１４に詳細に示すように、各縁部に沿って、細長い結合構成部品１４２が取り付けられる。図示した実施の形態において、結合構成部品１４２は、縫合、接着剤などにより縁部１３２、１３４に取り付けられ、穴１４９を貫通して延在するジッパ歯１４４を含む。図１５および図１６は、相互ロックされるように隣接する縁部１３２、１３４を一緒に引っ張るように、結合構成部品１４２に沿って前進しているアクチュエータまたはカップリング部材１４６を示す。
【００５３】
図示した実施の形態において、ばねヒンジ１３８を有する心臓ハーネス１３０とともに、ジップカップリング機構が使用される。しかしながら、任意のタイプの心臓ハーネスとともにジップカップリング機構を使用することができることを理解されたい。例えば、弾性または非弾性の織布または編布、ポリエステルメッシュまたは他の材料から作られた心臓ハーネスが、ジップカップリング機構を含むことができる。このようなハーネスは、上述したような方法でカプラ部材により連結される細長い結合構成部品を有する第１および第２の縁部を有するとよい。
【００５４】
結合構成部品は、第１および第２の縁部に直接取り付けられることができ、または、縁部に取り付けられた布裏張りに取り付けられることができる。いくつかの実施の形態において、布裏張りは、伸展性または弾性のある材料を含む。このようなことから、ハーネスが比較的非弾性のものであっても、ジップカプラの弾性のある布裏張りにより、ある程度の伸展性が得られる。このようにして、心臓に設置されたとき、ハーネスがきつ過ぎるという可能性がほとんどなくなる。
【００５５】
ジップカップリング装置を使用する際の重要なステップは、カップリング部材が前進するとともに、結合部材が、互いに対して適切に相互ロックするように、カップリング部材１２６、１４６を、細長い結合部材１２０、１４２の両方と係合させることである。さらなる実施の形態において、心臓の鼓動が、カップリング部材が設置される結合部材の接合端部を実質的に邪魔しないように、ハーネスより実質的に長い細長い結合部材を有するジップカップリング機構をハーネスが有する。さらなる実施の形態において、結合部材は、ハーネスが心臓に隣接して配置され、最終的に心臓に連結される準備が整うと、患者の身体から離れて延びる。このようにして、臨床医は、患者の身体の外側の位置で、カップリング部材を細長い結合構成部品の両方と係合させることができる。したがって、このような係合は比較的容易である。その後、臨床医は、心臓の周りにハーネスを閉じるように、カップリング部材を前進させる。別の実施の形態において、カップリング部材は、ハーネスが患者の身体内に前進されるとき、細長い結合構成部品とすでに係合されている。
【００５６】
カップリング部材が係合されると、結合構成部品が共にロックされるまで、細長い結合構成部品に沿って前進させることができる。カップリング部材は、結合構成部品が完全に延在するまで前進を続けることができ、その後、カップリング部材は、患者の身体から取り除くことができる。その後、細長い結合構成部品は、ハーネスの縁部に沿って延在し、比較的ほとんど余分な長さをもたないように形を整えることができる。上述したように、結合構成部品が絡まないように、磁石または他の第２のカップリング部材を設けることができる。
【００５７】
（モジュール構成）
別の実施の形態によれば、心臓ハーネスが、心臓ハーネスを形成するように組み立てられる複数の個々の構成部品またはモジュールを含む。モジュールは、ジップカップリングを含むことができ、ハーネスのアセンブリは、隣接するモジュールを互いに係合するようにジップカップリングを用いることを含む。クリップ、接着剤などを適用することなど、隣接するモジュールを連結するための他の方法および装置を用いることもできる。さらに、フック、圧縮取付具などにより、隣接するモジュールの対向する縁部を係合するように、モジュールの少なくともいくつかの縁部を製造することができる。
【００５８】
以下、図１７および図１８を参照すると、心臓ハーネスの実施の形態のモジュール１５０が示されている。モジュール１５０の各々は、対応するモジュール１５０の縁部１５６に取り付けられたジッパ歯１５４を含む細長い結合部材１５２を有する。結合部材１５２は、上述したように連結される。図１８に示すように、複数のモジュール１５０が、結合部材１５２を係合することにより互いに接合される。連続したモジュール１５０が、完全な心臓ハーネスが形成されるまで追加することができる。
【００５９】
図１９、図１９Ａおよび図２０は、「ジップロック」ファスナの形態のジップカプラ１６２を含む心臓ハーネスモジュール１６０の別の実施の形態を示し、このジップカプラは、雌部材１６６を係合するようにされた雄部材１６４を含む。雄部材１６４は、第１のモジュール１７０の縁部１６８に沿って取り付けられ、雌部材１６６は、第２のモジュール１７４の縁部１７２に沿って整列される。雄部材および雌部材１６４、１６６が係合されると、モジュール１７０、１７４は、図２０に示すように保持される。図１７から図２０に示す実施の形態において、それぞれのジップカプラ１６２は、隣接するモジュール１７０、１７４の間に挟まれ、モジュール縁部１６８、１７２は、実際に互いと接触していない。
【００６０】
隣接するモジュールを連結するために、いくつかのタイプのファスナまたはカップリング部材を使用することができることを理解されたい。これらの機構は、図１７から図２０に示すジップカップリング機構などの解放可能な機構を含み、さらに、永久カップリング機構を含む。例えば、別の実施の形態において、隣接するモジュール１５０、１６０は、モジュール上およびモジュール間にシリコン層を適用することにより、互いに接続される。隣接するモジュールを互いに永久的に結合または連結するために、さまざまなポリマーを使用することができる。
【００６１】
心臓ハーネスモジュールの組み立ては、生体外および／または生体内で達成することができる。生体内組み立ては、デバイスの最小限の侵襲的な外科処置の送り出しの一環として実行できる。ハーネスのモジュール構成は、各モジュールのプロファイルが、組み立てられたハーネスのプロファイルより小さいため、最小限の侵襲的な手法に有用である。ハーネスが完全に組み立てられて前進されるよりも、ハーネスがモジュールごとに前進されれば、より小さな心臓への送り出し開口および通路を使用することができる。生体内でハーネスを組み立てるために、複数のジップカップリングを使用することができる。
【００６２】
モジュールハーネスにより、特定の患者の心臓のサイズおよび需要に合わせて、ハーネスを高精度に仕様変更することができる。ばね要素の伸展性および配置は、患者の心臓に特別に適応させることができる。例えば、より大きな集合的なばね定数を有するいくつかのモジュールが、より大きな伸展性を有するモジュールと接合されてよく、それによって、患者の左心室の周りに、より剛性のあるばね要素が設けられるのに対して、患者の心臓の残りの部分の周りには、より伸展性のあるばね要素が設けられる。さらに、モジュールの中には、ばねヒンジを含むものがあってよく、または含まないものがあってもよい。
【００６３】
また、モジュールアプローチにより、心臓ハーネスの製造業者は、比較的少ない種類のモジュールサイズを維持しながら、広範囲の心臓の形状およびサイズに対応できるようになる。これは、患者の要求に合わせて、広範囲のサイズおよび伸展性を備える心臓ハーネスを作製するために、サイズと伸展性が異なる制限された数のモジュールを混合し整合させることができるためである。
【００６４】
モジュール１５０、１６０は、さまざまなサイズおよび形状で形成することができる。例えば、モジュールは、長手方向ストリップ、円周方向ストリップ、スパイラルストリップなどを含むことができる。
【００６５】
（スクロール状ハーネス）
以下、図２１から図２４を参照すると、心臓ハーネス１８０の別の実施の形態およびハーネスを設置するための方法が与えられ図示されている。図１６を詳細に参照すると、図示した心臓ハーネス１８０は、ばねヒンジ１８４を含む波状部分の複数の列１８２を含む。図から分かるように、この構成は、図３および図７に記載したもののような他の実施の形態と多くの類似点を共有するが、図示したハーネス１８０は、概してリボン状またはファン状であり、第１および第２の端部１８６、１８８を有する。図示した実施の形態において、リボン状のハーネス１８０は、概して矩形である。他の実施の形態において、リボン状のハーネス１８０は、概して弓状であり得る。
【００６６】
前述したハーネスの実施の形態と同様に、リボン状のハーネス１８０は、可撓性材料から形成されることが好ましい。図示した実施の形態において、リボン状のハーネスは、平坦なニチノールシートからエッチングされる。他の実施の形態において、延伸ニチノールワイヤなどの他の材料が、リボン状のハーネスを形成するために使用することができる。さらに、このようなハーネスは、可撓性で、非金属および非超弾性の材料から作ることができる。
【００６７】
配置装置１９０は、図２１に示す第１および第２の配置ロッド１９２、１９４を含む。心臓ハーネス１８０の第１および第２の端部１８６、１８８は、配置ロッド１９２、１９４に接続される。ハーネス１８０が実質的に平坦でファン状の構成であることにより、臨床医は、心臓３０に隣接してハーネスを配置することができ、ロッド１９２、１９４を用いて、心臓が鼓動しているときでも、心臓３０（図２２を参照）の周りにハーネス１８０を容易かつ迅速に巻き付けることができる。このような配置構成およびモードにより、心膜にわたって長手方向に滑らせることなく、ハーネスを設置することができる。心膜への外傷は、最小限に抑えられるか、または回避される。
【００６８】
以下、図２３を参照すると、ハーネス１８０は、心臓へ配置する前に、スクロールタイプの構成において、配置ロッド１９２、１９４の周りに巻き付けられることが好ましい。スクロールタイプの構成は、非常に小さなプロファイルであり、最小限の侵襲的な外科方法を用いて、患者の身体内に挿入することができる。
【００６９】
ハーネス１８０を患者の心臓３０に設置するために、臨床医は、心膜にすぐ隣接した位置にハーネスをスクロールさせてロッド１９２、１９４を位置決めした後、ロッドを回転させながら、心臓の対向する側の周りにロッド１９２、１９４を移動させる。ロッドが心臓の周りを移動すると、ハーネス１８０は、図２２および図２４に示すように、ロッドへの巻き付けが解かれて心膜へ広がる。図２２に示すように、ハーネス１８０が完全に心臓を取り囲むと、ハーネス１８０の第１および第２の端部１８６、１８８は、互いに係合される。その後、端部は、ロッド１９２、１９４から解放され、ロッドは、取り除かれる。ハーネス１８０は、患者の心臓３０上の適所に残される。
【００７０】
端部を互いに係合し、および／または、端部を配置ロッドに解放可能に保持するために、任意の適切な装置または方法を使用することができる。例えば、クリップ、縫合、外科用の接着剤、磁石、生物分解性材料などを適切に使用することができる。
【００７１】
次に、図２５を参照すると、リボンタイプのハーネス１８０の１つの実施の形態において、ハーネスを閉じるようにするためのジップカップリング機構２００が用いられている。ハーネス１８０の端部から延在する接続部材２０２が、ハーネスをロッド１９２、１９４に接続する。図示した実施形態において、接続部材２０２は、縫合材料を含む。ファン状の心臓ハーネス１８０の第１および第２の端部１８６、１８８に沿って、細長い結合部材２０４が与えられる。細長い結合部材２０４は、手術中、患者の身体から延在するように、端部１８６、１８８をはるかに超えて延在する。結合部材２０４の一部分が、端部１８６、１８８に直接接続され、ハーネスの端部に近接した結合部材２０４を支持するために、布裏張り２０６などが与えられる。
【００７２】
図２２および図２５に示すように、心臓３０の周りにハーネス１８０が配置されると、臨床医は、ジップカップリング機構２００のカップリング部材２０８を細長い結合部材２０４に沿って身体内へハーネスに沿って前進させる。カップリング部材２０８がハーネス１８０上で結合部材２０４に沿って移動すると、接続部材２０２は、配置ロッド１９２、１９４から取り外され、ロッドは、ルートから外れて移動される。カップリング部材２０８は、ハーネスの第１および第２の端部１８６、１８８を、お互いに隣接して接合するように引っ張るため、患者の心臓３０上の適所にハーネス１８０を保持する。カップリング部材２０８が完全に延伸すると、結合部材２０４の余分で不要な部分が切り取られ、相互にロックされた結合部材が外れないように、１つ以上の第２のコネクタ部材を取り付けることができる。
【００７３】
ハーネスの対向する縁部を接合するために、さまざまな方法および装置を用いることができることを理解されたい。端部を接合するために、例えば、磁石、縫合、クリップ、医療用接着剤などを使用することができる。
【００７４】
１つの実施の形態において、ニチノールのリボンタイプのハーネスが、患者の心臓のサイズおよび形状に適合するように形成された後、その形状を「記憶する」ように、その位置においてアニールされる。ハーネスは、ハーネスがロッド上にスクロールされたときに変形されたとしても、患者の身体内でアニールされた形状をとることになる。別の実施の形態において、ニチノールのハーネスは、まず、ロッドの周りでスクロールされた後、スクロールされた構成でアニールされる。これらの実施の形態の両方に関して、ハーネスが患者の心臓の周りに配置されると、心臓に内向きの圧縮力をかけ、その力により、心臓の拡張期充満中に壁応力が軽減される。
【００７５】
次に、図２６から図２８を参照すると、スクロールハーネス送り出し装置２１０が示されている。スクロールハーネス送り出し装置２１０は、スクロールされた構成でハーネス１８０を保持するようにされた第１および第２の配置ロッド１９２、１９４を含む。ハーネスは、対応するロッドの末端部に隣接して配置される各ロッド１９２、１９４の保持部２１２に取り付けられる。保持部２１２に近接した各ロッド１９２、１９４上に、湾曲部２１４が与えられる。このようにして、ロッドは、互いに対して反対方向に回転するように構成され、隣接するロッド１９２、１９４の保持部２１２は、互いに対してすぐに隣接した位置（図２６を参照）から、間隔が置かれた位置（図２７を参照）に移動する。さらに回転すると、ホルダ２１２は、互いに対してすぐに隣接した位置に再度配置されるようになる。
【００７６】
配置ロッド１９２、１９４の近端部が、ハンドル２１６により支持される。アクチュエータロッド２１８が、ハンドル２１６から近接して延在する。アクチュエータロッド２１８は、第１の配置ロッド１９２とともに回転する。図２８を詳細に参照すると、第２の配置ロッド１９４上のギヤ２２０が、アクチュエータロッド２１８上のギヤ２２２と係合することにより、アクチュエータロッド２１８が第１の方向に回転し、第１の配置ロッド１９２が第１の方向に対応して回転すると、第２の配置ロッド１９４は、反対方向に回転する。
【００７７】
図２６は、配置ロッド１９２、１９４の保持部２１２が互いに概して隣接して配設されることにより、ハーネス１８０が、図２３に示すように、スクロールのようにきつく巻き付けられる装填状態にある装置２１０を示す。アクチュエータロッド２１８が回転すると、配置アーム１９２、１９４は、図２７および図２４に示すように、保持部２１２が互いから間隔が設けられた開位置に移動する。アクチュエータが回転し続けると、配置アーム１９２、１９４が回転を続け、最終的に、図２２に示すように、再度互いに出会うことになる。この点で、スクロールハーネスは、患者の心臓３０の周りに配置され、適所に固定されるだけでよい。
【００７８】
（心臓ハーネスのサイジング）
リモデリングを阻止し、心臓の逆リモデリングを促進するために、心臓ハーネスを患者の心臓に適応する際の１つの考慮すべき点は、患者の心臓に適用するのに正確なサイズの心臓ハーネスを得ることである。心臓の壁応力を軽減するように適切な内向きの圧縮力を適用するために、ハーネスの適切な張力を達成することが重要である。強すぎる張力が与えられれば、心臓は締め付けられる。ほとんど張力がかからなければ、装置が患者へ与える利益は、減少するか、またはほとんどなくなる。
【００７９】
Ａｃｏｒｎ（登録商標）の心臓支持装置（ＣＳＤ：Ｃａｒｄｉａｃ  Ｓｕｐｐｏｒｔ  Ｄｅｖｉｃｅ）などの既存の織物ハーネスでは、外科医が、まず、患者の心臓に装置を緩く設置した後、装置が適所にある間に装置に手動で張力を与える。外科医が適切な張力を決定および獲得するためのアルゴリズムまたは指示はない。これにより、オペレータが誤りを犯す可能性があり、患者と外科医との間に不整合性が生じ得る。
【００８０】
したがって、患者の心臓に合わせて心臓ハーネスのサイズを予め調整した後、心臓にハーネスを設置することが望ましい。また、このように予めサイズ調整をする手法が、患者に対して可能な限り最小限の侵襲的なものにすることが望まれる。
【００８１】
何らかのハーネス設置手術が実行される前に、非侵襲的に画像データを獲得することができる。心エコー検査、ＣＴスキャン、ＭＲＩスキャン、および脳室造影などのイメージングを使用することができる。他のタイプのイメージングも有益であり得る。心臓の直径、心臓の体積、拡張期の終りおよび収縮期の終りでの心臓の断面積を測定することにより、臨床医は、心臓の所望のサイズを決定し、それによって、所望のハーネスサイズおよび構成をデザインまたは指示することができるようになる。
【００８２】
所望のハーネスサイズおよび構成が決まれば、ハーネスは、製造業者または臨床医のストックにあるモジュール構成部品から作製することができ、または、各患者に合わせて特別に作製することができる。特定のハーネスサイズおよび／または構成は、ある範囲の心臓サイズに対して適切なものであることができる。
【００８３】
ハーネスは、拡張期の終りに所定の最大心膜圧を心臓にかけるように選択または作製することができる。拡張期の終りに印加される圧力は、約２ｍｍＨｇより大きく、約１０ｍｍＨｇより小さいことが好ましく、約４から８ｍｍＨｇの間であることがさらに好ましい。心周期を通して圧力がかけられ、拡張期の終りで最大となることが好ましい。
【００８４】
別の実施の形態において、心臓ハーネスは、心臓が急に拡張した場合に備えてサイズ調整される拡張終期寸法を超えて拡張可能であるように構成される。このようにして、拡張終期で心膜表面に圧力がかけられるが、拡張終期寸法の制限が心臓に課されない。
【００８５】
いくつかの好適な実施の形態および例に関して本発明を開示してきたが、本発明は、詳細に開示した実施の形態を逸脱して、本発明の他の代替の実施の形態および／または使用およびその明確な修正および同等のものに広がることは、当業者に理解されよう。さらに、本発明の多数の変形を詳細に示して記載してきたが、本発明の範囲内にある他の習性は、本開示に基づいて当業者に容易に明らかであろう。また、実施の形態の特定の特徴および態様のさまざまな組み合わせまたはサブコンビネーションがなされてもよく、これらは本発明の範囲内のものであると考えられる。したがって、開示した実施の形態のさまざまな特徴および態様は、開示した本発明のさまざまなモードを形成するために、互いに組み合わせたり、置き換えられたりすることができることを理解されたい。したがって、本願明細書に開示された本発明の範囲は、上述した特定の開示した実施の形態により制限されるべきではなく、特許請求の範囲を公正に読むことによりのみ決定されることが意図される。
【図面の簡単な説明】
【００８６】
【図１】心臓ハーネスが配置された心臓の略図である。
【図２Ａ】弛緩位置にあるばねヒンジを示す。
【図２Ｂ】張力下にあるばねヒンジを示す。
【図３】平坦な材料シートから切り取られた心臓ハーネスの実施の形態を示す。
【図４】心臓の周りに装着するように構成された形状に形成された図３の心臓ハーネスを示す。
【図５】一つの実施の形態により構成されたばねヒンジを有する心臓ハーネスの一部分を示す。
【図６】ばねヒンジの中央部分が心臓の表面と摩擦係合する図５のハーネスの部分を略図的に示す。
【図７】平坦な材料シートから切り取られた心臓ハーネスの別の実施の形態を示す。
【図８】貫通して形成された窓を有する心臓ハーネスの実施の形態を示す。
【図９】貫通して形成されたスロットを有する心臓ハーネスの実施の形態を示す。
【図１０】心臓の周りに緩く装着された心臓ハーネスの実施の形態を略図的に示す。
【図１１】心臓の周りに締め付けられた図１０の心臓ハーネスを示す。
【図１２】心臓の周りに締め付けられた図１０の心臓ハーネスを示す。
【図１３】互いに隣接して配置された心臓ハーネスの実施の形態の２つの縁部分を示す。
【図１４】各縁部分にジッパカップリングが取り付けられた図１３の２つの縁部分を示す。
【図１５】互いに部分的に連結された図１４の縁部分を示す。
【図１６】互いにより完全に連結された図１４の縁部分を示す。
【図１７】一実施の形態において互いに接続される前の心臓ハーネスの隣接するモジュールを示す。
【図１８】互いに接続された図１７のモジュールを示す。
【図１９】別の実施の形態において互いに接続されるように構成された心臓ハーネスの隣接するモジュールを示す。
【図１９Ａ】互いに整列されジッパカプラを示す図１９のモジュールの縁部の端面図を略図的に示す。
【図２０】互いに接続された図１９のモジュールを示す。
【図２１】配置ロッドに接続されたリボン状ハーネスの実施の形態を示す。
【図２２】心臓の周りに巻き付けられた図２１のハーネスを示す。
【図２３】配置ロッドの周りにスクロールさせて巻き付けられた図２１のハーネスを示す。
【図２４】心臓に部分的に配置された図２１のハーネスを示す。
【図２５】ハーネスの第１および第２の縁部が接合されようとしている状態のリボンタイプのハーネスの実施の形態を示す。
【図２６】リボンタイプのハーネスの送り出し装置の側面図を示す。
【図２７】図２６の送り出し装置の別の図を示す。
【図２８】図２６の送り出し装置の一部分の拡大図を示す。
【国際公開パンフレット】
2005501652.tif 000003
2005501652.tif 000004
2005501652.tif 000005
2005501652.tif 000006
2005501652.tif 000007
2005501652.tif 000008
2005501652.tif 000009
2005501652.tif 000010
2005501652.tif 000011
2005501652.tif 000012
2005501652.tif 000013
2005501652.tif 000014
2005501652.tif 000015
2005501652.tif 000016
2005501652.tif 000017
2005501652.tif 000018
2005501652.tif 000019
2005501652.tif 000020
2005501652.tif 000021
2005501652.tif 000022
2005501652.tif 000023
2005501652.tif 000024
2005501652.tif 000025
2005501652.tif 000026
2005501652.tif 000027
2005501652.tif 000028
2005501652.tif 000029
2005501652.tif 000030
2005501652.tif 000031
2005501652.tif 000032
2005501652.tif 000033
2005501652.tif 000034
2005501652.tif 000035
2005501652.tif 000036
2005501652.tif 000037
2005501652.tif 000038
2005501652.tif 000039
2005501652.tif 000040
2005501652.tif 000041
2005501652.tif 000042
2005501652.tif 000043
2005501652.tif 000044
2005501652.tif 000045
2005501652.tif 000046
2005501652.tif 000047
2005501652.tif 000048
2005501652.tif 000049
【国際公開パンフレット（コレクトバージョン）】
2005501652.tif 000050
2005501652.tif 000051
【国際調査報告】
2005501652.tif 000052
2005501652.tif 000053
2005501652.tif 000054
2005501652.tif 000055
2005501652.tif 000056
2005501652.tif 000057